(57)【要約】【課題】乳房単純Ｘ線撮影画像診断用画像表示装置において、画像の診断を効率的かつ良好にできるようにする。【解決手段】本発明に係る画像表示装置１によれば、画像表示画面１３０の表示最大輝度は、１０００ｃｄ／ｍ２以上３００００ｃｄ／ｍ２以下であり、画素数は３００万画素以上であり、コントラスト比は５００：１以上であり、輝度分解能は、５００以上であり、縦Ｌ１（ｍ）及び横Ｌ２（ｍ）は、０．０７＜Ｌ１×Ｌ２−（Ｌ１−Ｌ２）＾２を満たすものである。また、画像表示画面１３０の中に、前記表示最大輝度の０．０１倍以下の輝度の枠表示領域を設けて表示し、その枠表示領域は、医用画像データを分析して決定される。更に、入力部１２の操作により、枠表示領域と重なる領域に、画像の一部を拡大して表示する。【選択図】　図２
2004073226.tif 000002
【特許請求の範囲】
【請求項１】
入力された乳房単純Ｘ線撮影画像を画像表示画面に表示する乳房単純Ｘ線撮影画像診断用画像表示装置において、
前記画像表示画面の表示最大輝度が１０００ｃｄ／ｍ２以上であり、
前記画像表示画面の画素数が３００万画素以上であり、
前記画像表示画面の中に、前記表示最大輝度の０．０１倍以下の輝度の枠表示領域を設けて表示させる枠表示手段を備えたことを特徴とする乳房単純Ｘ線撮影画像診断用画像表示装置。
【請求項２】
前記画像表示画面におけるコントラスト比が５００：１以上であることを特徴とする請求項１に記載の乳房単純Ｘ線撮影画像診断用画像表示装置。
【請求項３】
前記画像表示画面の表示最大輝度以下の輝度分解能が５００以上であることを特徴とする請求項１又は２に記載の乳房単純Ｘ線撮影画像診断用画像表示装置。
【請求項４】
前記画像表示画面の縦Ｌ１（ｍ）及び横Ｌ２（ｍ）が、
０．０７＜Ｌ１×Ｌ２−（Ｌ１−Ｌ２）＾２
の式を満たすことを特徴とする請求項１〜３の何れか一項に記載の乳房単純Ｘ線撮影画像診断用画像表示装置。
【請求項５】
前記画像表示画面の表示最大輝度が３００００ｃｄ／ｍ２以下であることを特徴とする請求項１〜４の何れか一項に記載の乳房単純Ｘ線撮影画像診断用画像表示装置。
【請求項６】
前記乳房単純Ｘ線撮影画像のデータを分析して前記枠表示領域の表示位置を決定する枠表示領域決定手段を備え、
前記枠表示手段は、前記枠表示領域決定手段により決定された表示位置に枠表示領域を表示するとともに、該枠表示領域の輝度を前記表示最大輝度の０．０１倍以下となるように制御することを特徴とする請求項１〜５の何れか一項に記載の乳房単純Ｘ線撮影画像診断用画像表示装置。
【請求項７】
前記画像表示画面に表示された乳房単純Ｘ線撮影画像において、一部の領域を指定する領域指定手段と、
前記領域指定手段により指定された前記乳房単純Ｘ線撮影画像上の一部領域を拡大して前記枠表示領域の表示位置内に重ねて表示する拡大表示手段を備えたことを特徴とする請求項１〜６の何れか一項に記載の乳房単純Ｘ線撮影画像診断用画像表示装置。
【発明の詳細な説明】
【０００１】
【発明の属する技術分野】
本発明は、乳房単純Ｘ線撮影画像診断用画像表示装置に関する。
【０００２】
【従来の技術】
近年、医用画像のデジタルデータ化が進み、デジタルデータ化された医用画像はＣＲＴディスプレイ装置等の画像表示装置に表示され、医師は画像表示装置に表示された画像を観察することによって診断を行っている。
【０００３】
【発明が解決しようとする課題】
ところで、乳房単純Ｘ線撮影画像の診断には、微細な領域内の微妙な輝度の違いを判別して、石灰化現象や浸潤現象の有無を診断する必要がある。しかしながら、従来の画像表示装置では、一般的な診察室の環境下では、効率的かつ良好な診断が困難であった。
【０００４】
その原因は、室内光の画像表示画面での乱反射と、階調再現が充分でなかったことが考えられる。そこで、室内を暗くし、乱反射を減らすため、室内照度を落とした読影室で画像表示装置に表示された医用画像を診断することが行われている。しかしながら、これでは通常の診察室とは別の読影室での診断が必須となり、比較的明るい診察室内から移動して読影室で画像診断を行う際には、診断医の眼が順応するまで待つ必要がある。この眼の順応は、個人差が大きいが、１０秒〜数分必要である。そのため、効率的かつ良好な診断が困難であった。
【０００５】
本発明の課題は、乳房単純Ｘ線撮影画像の診断を効率的かつ良好にできる乳房単純Ｘ線撮影画像診断用画像表示装置を提供することである。
【０００６】
【課題を解決するための手段】
上記課題を解決するため、請求項１記載の発明は、
入力された乳房単純Ｘ線撮影画像を画像表示画面に表示する乳房単純Ｘ線撮影画像診断用画像表示装置において、
前記画像表示画面の表示最大輝度が１０００ｃｄ／ｍ２以上であり、
前記画像表示画面の画素数が３００万画素以上であり、
前記画像表示画面の中に、前記表示最大輝度の０．０１倍以下の輝度の枠表示領域を設けて表示させる枠表示手段を備えたことを特徴としている。
【０００７】
請求項２記載の発明は、請求項１記載の発明において、
前記画像表示画面におけるコントラスト比が５００：１以上であることを特徴としている。
【０００８】
請求項３記載の発明は、請求項１又は２に記載の発明において、
前記画像表示画面の表示最大輝度以下の輝度分解能が５００以上であることを特徴としている。
【０００９】
請求項４記載の発明は、請求項１〜３の何れか一項に記載の発明において、
前記画像表示画面の縦Ｌ１（ｍ）及び横Ｌ２（ｍ）が、
０．０７＜Ｌ１×Ｌ２−（Ｌ１−Ｌ２）＾２
の式を満たすことを特徴としている。
【００１０】
請求項５記載の発明は、請求項１〜４の何れか一項に記載の発明において、
前記画像表示画面の表示最大輝度が３００００ｃｄ／ｍ２以下であることを特徴としている。
【００１１】
請求項６記載の発明は、請求項１〜５の何れか一項に記載の発明において、
前記乳房単純Ｘ線撮影画像のデータを分析して前記枠表示領域の表示位置を決定する枠表示領域決定手段を備え、
前記枠表示手段は、前記枠表示領域決定手段により決定された表示位置に枠表示領域を表示するとともに、該枠表示領域の輝度を前記表示最大輝度の０．０１倍以下となるように制御することを特徴としている。
【００１２】
請求項７記載の発明は、請求項１〜６の何れか一項に記載の発明において、
前記画像表示画面に表示された乳房単純Ｘ線撮影画像において、一部の領域を指定する領域指定手段と、
前記領域指定手段により指定された前記乳房単純Ｘ線撮影画像上の一部領域を拡大して前記枠表示領域の表示位置内に重ねて表示する拡大表示手段を備えたことを特徴としている。
【００１３】
【発明の実施の形態】
以下、図を参照して本発明の実施の形態を詳細に説明する。
図１は、乳房単純Ｘ線撮影画像による診断の流れを模式的に示す図である。図１に示すように、乳房Ｘ線撮影装置４によりフィルムに撮影された被写体の撮影画像は、例えば、ディジタイザ等の医用画像読取装置３により読み取られて光電変換され、医用画像処理装置２へ出力される。なお、フィルムを用いず、ＣＲ装置を用いて、Ｘ線を被写体に照射して得た放射線画像情報を輝尽性蛍光体プレートに蓄積し、これにレーザ光を走査して蓄積された放射線画像情報を輝尽発光させ、この輝尽発光光を光電的に読みとってデジタルＸ線画像として医用画像処理装置２に出力する構成としてもよい。医用画像処理装置２においては、医用画像読取装置３により入力された乳房単純Ｘ線撮影画像データ（以下、画像データと称する）は、階調処理、周波数処理、ダイナミックレンジ圧縮処理、マルチ周波数処理等の画像処理が施されて画像表示装置１へ出力される。そして、医用画像処理装置２により入力された画像データは、画像表示装置１により、乳房単純Ｘ線撮影画像として表示される。この画像表示装置１により可視化された画像は、医師により読影され、診断に利用される。
【００１４】
本発明の画像表示装置１は、その性能を最大に発揮させるためには、入力される検出画素サイズが９０μｍ以下の画像データである必要がある。このため、医用画像読取装置３は、検出画素サイズが９０μｍ以下の性能を備える必要がある。
【００１５】
図２は、本発明に係る画像表示装置１の外観図である。図２に示すように、画像表示装置１は、その前面の画像表示画面１３０に、医用画像処理装置２から入力された画像データを表示する。画像表示装置１は、ＣＲＴ（Ｃａｔｈｏｄｅ　Ｒａｙ　Ｔｕｂｅ）ディスプレイ装置とするが、液晶ディスプレイ装置、プラズマディスプレイ装置、エレクトロルミネセンスディスプレイ装置等の何れであってもよい。
【００１６】
図３は、画像表示装置１の機能的構成を示すブロック図である。図３に示すように、画像表示装置１は、ＣＰＵ１１、入力部１２、表示部１３、記憶部１４
、Ｉ／Ｆ１５等により構成され、各部はバス１６により接続されている。
【００１７】
ＣＰＵ（Ｃｅｎｔｒａｌ　Ｐｒｏｃｅｓｓｉｎｇ　Ｕｎｉｔ）１１は、記憶部１４に記憶されている各種制御プログラムを読み出して、読み出したプログラムに従って画像表示装置１の各部の動作を集中制御する。また、入力部１２からの指示信号に従い、後述する枠表示処理、拡大表示処理の各種処理や、コントラスト調整、ブライトネス調整等を行う。ＣＰＵ１１は、本発明の請求項に記載の枠表示手段、枠表示領域決定手段及び拡大表示手段としての機能を有する。
【００１８】
入力部１２は、電源ボタン、コントラスト調整ボタン、ブライトネス調整ボタン、拡大表示ボタン、枠表示ボタン等により構成され、押下操作されたボタンに対応する押下信号をＣＰＵ１１に出力する。また、入力部１２は、必要に応じて、カーソルキー、数字入力キー、及び各種機能キーを備えたキーボードや、マウス等のポインティングデバイス、その他の入力装置を装着して備えることとしてもよい。入力部１２は、本発明の請求項に記載の領域指定手段としての機能を有する。
【００１９】
表示部１３は、ＣＰＵ１１から入力される、表示信号の指示に従って、画像表示画面１３０上に、乳房単純Ｘ線撮影画像等の表示を行う。
【００２０】
記憶部１４は、不揮発性の半導体メモリにより構成され、画像表示装置１に対応する制御プログラムや制御に必要な各種データ等を記憶する。
【００２１】
Ｉ／Ｆ１５は、医用画像処理装置２と接続するためのインターフェースであり、医用画像処理装置２から画像データを取得し、ＣＰＵ１１からの指示に応じて、画像データを表示部１３に出力する。
【００２２】
次に、表示部１３ついて詳細に説明する。
（１）　表示部１３の画像表示画面１３０の表示最大輝度は、１０００ｃｄ／ｍ２以上である。これにより、画像表示画面１３０の表示最大輝度が高輝度であるので、暗い領域の輝度も高くでき、眼による濃淡の識別性が高くなる。また、通常の診察室の室内において、室内光の画像表示画面１３０における乱反射の影響が軽減されることにより、暗い部分の読みにくさが軽減され、且つまぶしすぎるがための診断効率の低下や悪化の恐れがない。なお、画像表示画面１３０の表示最大輝度は、１５００ｃｄ／ｍ２以上であることが好ましく、更に２０００ｃｄ／ｍ２以上であることが好ましい。
表示最大輝度とは、画像表示画面１３０が医用画像データに基づき表示できる最大の輝度のことである。表示最大輝度は、画像表示用装置１に入力される医用画像データに含まれる輝度信号をどこまで再現できるかという画像の再現性にかかわるものである。また、画像表示画面の輝度の測定は、暗室下で行う。
また、表示部１３の画像表示画面１３０の表示最大輝度は、３００００ｃｄ／ｍ２以下であり、まぶしすぎるがための診断効率の低下や悪化の恐れがない。なお、画像表示画面１３０の表示最大輝度は、１００００ｃｄ／ｍ２以下であることが好ましく、更に７０００ｃｄ／ｍ２以下であることが好ましい。
【００２３】
（２）　画像表示画面１３０の画素数が３００万画素以上である。これにより、乳房内の組織間という、微細な領域内の輝度の変化を表現することができ、診断を効率的かつ良好に行うことができる。
【００２４】
（３）　画像表示画面１３０の再現可能なコントラスト比は５００：１以上である。コントラスト比とは、画像表示画面１３０の全白表示に対する全黒表示の輝度の比である。このように、画像表示画面１３０は、高コントラストの特性を有することで、低輝度側の画像データの再現も良好にでき、微妙な輝度の違いを判別する必要のある乳房の被圧迫部の診断を効率的かつ良好に行うことができる。なお、画像表示画面１３０のコントラスト比は、７００：１以上であることが好ましく、１０００：１であることが更に好ましい。また、１００００：１を越えるコントラスト比は改善効果が実質的にないので、１００００：１以下であることが好ましい。
【００２５】
（４）　画像表示画面１３０の表示最大輝度以下の輝度分解能は、５００以上である。これにより、入力された画像データがより細かく階調表現されるので、更に診断を効率的かつ良好に行うことができる。更に７００以上であることが好ましく、特に１０００以上であることが好ましい。
また、表示最大輝度と表示最大輝度の０．１倍の輝度との間の輝度分解能が２００以上、特に３００以上であることが好ましい。更に、表示最大輝度の０．１倍の輝度と表示最大輝度の０．０１倍の輝度との間の輝度分解能が２００以上、特に３００以上であると、医用画像の診断をより効率的且つ良好に行うことができ、好ましい。
【００２６】
（５）　画像表示画面１３０の縦Ｌ１（ｍ）及び横Ｌ２（ｍ）は、下記の式▲１▼を満たすものである。
式▲１▼　　　０．０７＜Ｌ１×Ｌ２−（Ｌ１−Ｌ２）＾２
画像表示画面の大きさや形状によっては、画面に近づいて診断しない限り、明るい診察室の環境が視界に入り、眼の明暗対比効果による診断する画像（診断画像）の一様黒色感が生じる。しかしながら、画面に近接して診断すると、眼の真正面と画面隅とで、眼からの距離の逆数が大きく異なり、眼の焦点運動が激しくなるので、眼が疲労しやすく、長時間の診断を行うと、診断の効率と良好さを損なうことになる。一方で、画面が大きすぎると、画面から離れて診断しない限り、全体を見渡すことが困難となるため、画面から離れて診断すると、微妙な濃淡の差が見づらくなってしまう。上述した式▲１▼を満たす縦Ｌ１×横Ｌ２の画像表示画面１３０によれば、適切な距離で診断することが可能となる大きさ及び形状を備えたものであるので、明るい診察室の環境が視界に入りにくなり、医師の眼の疲労が軽減され、且つ画面全体を見渡すことができる。その結果、診断を効率的かつ良好に行うことができる。
更に、画像表示画面１３０の縦Ｌ１（ｍ）及び横Ｌ２（ｍ）は、下記の式▲１▼−１を満たすことが好ましい。
式▲１▼−１　０．１０＜Ｌ１×Ｌ２−（Ｌ１−Ｌ２）＾２
【００２７】
また、画像表示装置１のＣＰＵ１１は、更に効率的な診断を可能とするために、入力部１２の入力操作に基づき、後述する枠表示処理、拡大表示処理等を行う。
【００２８】
まず、枠表示処理について説明する。
ＣＰＵ１１は、入力部１２により枠表示ボタンが押下されると、表示する画像データを分析して枠表示領域の表示位置を決定し、表示部１３に、診断画像と共に、前記決定した表示位置に、画像表示画面１３０の表示最大輝度の０．０１倍以下の輝度で枠表示領域を表示させる。
このような例としては、以下のものが挙げられるが、これらに限られない。
第一の例として、ＣＰＵ１１は、単純に医用画像データの画素サイズと表示部１３の画像表示画面１３０の画素サイズを比較して、表示部１３の画像表示画面１３０の方が画素サイズが大きい場合、医用画像を画像表示画面１３０の中央部に配置し、その周辺を枠表示領域の表示位置として決定する。
第二の例として、ＣＰＵ１１は、医用画像データを分析して、周辺に診断に関係の無い領域がある場合、その周辺の診断に関係の無い領域を枠表示領域の表示位置として決定する。
第三の例として、ＣＰＵ１１は、医用画像データを分析して、特に注目して診断したい領域以外を覆うように枠表示領域の表示位置を決定する。このような場合、入力部１２の入力操作に基づいて、このような枠表示領域を設けるか否か選択できるようにすることが好ましい。このような枠表示により、診断画像の周囲の輝度が高い場合のように、眼の明暗対比効果による診断画像の暗部の一様黒色感がなくなるので、医用画像の診断をより良好に行うことができる。そして、入力部１２の入力操作によって、この枠表示を解除して、周囲の特に注目する領域以外の領域も診断に用いることができるので、更に、診断を良好かつ効率的にできる。
【００２９】
図４は、乳房単純Ｘ線撮影画像を画像表示画面１３０に表示した際の一例を示す図である。また、図５は、枠表示処理を行って乳房単純Ｘ線撮影画像を表示した表示の一例を示す図である。図５に示すように、枠表示処理を行うことにより、分析された位置に、表示最大輝度の０．０１倍以下（例えば、表示最大輝度の０．００５倍以下）の輝度の枠１３０ａが表示される。これにより、自動的に、各々の画像に応じた枠表示領域を設定するので、例えば、撮影時に鉛板により生じた高輝度の領域を枠表示領域とすることで、眼の明暗対比効果による一様黒色感を避けることができ、暗部の微妙な濃淡の変化を視認して、乳房単純Ｘ線撮影画像の診断を効率的に行うことができる。
【００３０】
なお、枠表示領域の輝度を、入力部１２の操作によりユーザが設定することができるようにしてもよい。この場合、枠表示領域の輝度として、表示最大輝度の０．０１倍以下の輝度となるデータ値を上限として、設定することができるようにするとよい。
【００３１】
また、入力部１２の操作入力に応じて、枠表示領域の位置や大きさを指定することができるようにしてもよい。枠表示領域は、例えば、通常表示領域の周囲全てであり、枠表示領域の位置・大きさは、この通常表示領域の位置・大きさで示すことができる。そして、入力部１２の操作入力により、画像表示画面１３０上の位置や大きさが指定されると、ＣＰＵ１１は、この指定された位置や大きさに対応して枠表示領域の表示位置や大きさを決定し、表示部１３に、医用画像と共に、前記決定した表示位置に枠表示領域を表示させる。この枠により、例えば、細かい画像を診断する際に、その周辺を枠表示領域とすることで、眼の明暗対比効果による一様黒色感を避けることができ、暗部の微妙な濃淡の変化を視認して、診断を効率的に行うことができる。
【００３２】
次に、拡大表示処理について説明する。
ＣＰＵ１１は、枠表示が行われている状態で、入力部１２のポインティングデバイス等により、表示されている乳房単純Ｘ線撮影画像上の一部領域が指定され、拡大表示ボタンが押下されると、表示部１３に、指定された領域に表示されている部分の画像を拡大して、枠表示領域の表示位置内に重ねて表示させる。
【００３３】
図６は、拡大示処理を行って、画像の一部を枠表示領域内に重ねて表示した表示の一例を示す図である。図６に示すように、拡大表示処理を行うことにより、乳房単純Ｘ線撮影画像の指定された一部領域（領域１３０ｂ）を、拡大して枠表示領域１３０ａ内に表示するので、拡大した画像１３０ｃについても、その周囲の輝度が画像表示画面１３０の表示最大輝度の０．０１倍以下となり、眼の明暗対比効果による一様黒色感がなく、診断を効率良くかつ良好に行うことができる。
【００３４】
以上説明した様に、画像表示装置１によれば、通常の診察室における室内光の乱反射の影響が軽減され、眼の明暗対比効果による一様黒色感も軽減でき、通常の診察室内においても画像表示画面１３０と適正な距離を保ちつつ診断を行うことができる。また、画像の再現性能が高く、微妙な輝度の判別を必要とする乳房単純Ｘ線撮影画像の診断を効率的かつ良好に行うことができる。
【００３５】
なお、表示部１３は、本実施の形態の装置で下記の構成とすることにより、胸部単純Ｘ線画像の診断を効率的かつ良好に行うために、非常に好ましく医用画像を表示できることがシミュレートできた。
画像表示画面１３０の表示最大輝度が１５００ｃｄ／ｍ２であり、
コントラスト比が１０００：１であり、
画像表示画面１３０の縦Ｌ１（ｍ）＝０．４及び横Ｌ２（ｍ）＝０．３であり（この時、Ｌ１×Ｌ２−（Ｌ１−Ｌ２）＾２＝０．１１、Ｌ１＾４＋Ｌ２＾４＜１）、
画像表示画面１３０の表示最大輝度以下の輝度分解能が９００であり、
画像表示画面１３０の画素数が１２００万画素であり、
画像表示画面１３０の中に、前記表示最大輝度の０．００５倍以下の輝度の枠表示領域を設けて表示する。
【００３６】
なお、上述の実施の形態は、本発明の一例であり、この構成に限定されるものではない。また、画像表示装置１の構成及び動作に関しても、本発明の趣旨を逸脱することのない範囲で適宜変更可能である。
【００３７】
【発明の効果】
請求項１記載の発明によれば、微細な領域の輝度の変化を表現することができるとともに、診察室の室内光の画像表示画面での乱反射の影響を軽減し、且つ眼の明暗対比効果による診断画像の暗部の一様黒色感を無くすことができる。その結果、診断を効率的かつ良好に行うことができる。
【００３８】
請求項２記載の発明によれば、低輝度側の画像データの再現も良好にできるので、微妙な輝度の違いを判別する必要のある乳房の被圧迫部の診断を効率的かつ良好に行うことができる。
【００３９】
請求項３記載の発明によれば、より細かく階調表現されるので、更に診断を効率的かつ良好に行うことができる。
【００４０】
請求項４記載の発明によれば、画面から適切な距離で診断を行うことができるので、診断を効率的かつ良好に行うことができる。
【００４１】
請求項５記載の発明によれば、まぶしさによる診断効率の低下を軽減できる。その結果、診断をより効率的かつ良好に行うことができる。
【００４２】
請求項６記載の発明によれば、自動的に、各々の画像に応じた枠表示領域を決定するので、診断をより効率的かつ良好にできる。
【００４３】
請求項７記載の発明によれば、撮影画像の一部を拡大した画像においても、眼の明暗対比効果による画像の一様黒色感が無く、診断を効率的かつ良好にできる。
【図面の簡単な説明】
【図１】乳房単純Ｘ線撮影画像による診断の流れを模式的に示す図である。
【図２】本発明に係る画像表示装置１の外観図である。
【図３】図２の画像表示装置１の機能的構成を示すブロック図である。
【図４】乳房単純Ｘ線撮影画像を表示した画像表示画面１３０の一例を示す図である。
【図５】図２のＣＰＵ１１により枠表示処理を行って乳房単純Ｘ線撮影画像を表示した画像表示画面１３０の一例を示す図である。
【図６】図２のＣＰＵ１１により拡大表示処理を行って乳房単純Ｘ線撮影画像を表示した画像表示画面１３０の一例を示す図である。
【符号の説明】
１　　画像表示装置
２　　医用画像処理装置
３　　医用画像読取装置
４　　乳房Ｘ線撮影装置
１１　　ＣＰＵ
１２　　入力部
１３　　表示部
１３０　　画像表示画面
１４　　記憶部
１５　　Ｉ／Ｆ
【図１】
2004073226.tif 000003
【図２】
2004073226.tif 000004
【図３】
2004073226.tif 000005
【図４】
2004073226.tif 000006
【図５】
2004073226.tif 000007
【図６】
2004073226.tif 000008